(57)【特許請求の範囲】
【請求項１】
開口部が形成された壁のうち前記開口部側に位置する開口縁部が化粧されてなる壁の化粧構造において、
前記開口縁部における部屋側の表面に取り付けられ、当該部屋側の表面を化粧する化粧見附枠材と、
前記開口縁部における前記開口部側の表面に取り付けられ、前記部屋側に突出する突出縁部を有する板状体と、
前記板状体の表面に被せられ、側縁部に前記突出縁部に係合する係合部を有する薄板状の化粧被覆材と、を備えており、
前記化粧見附枠材と前記突出縁部との間には隙間が形成され、前記突出縁部に係合された前記係合部の一片が前記隙間に設けられていることを特徴とする壁の化粧構造。
【請求項２】
請求項１に記載の壁の化粧構造において、
前記化粧見附枠材は、前記係合部の前記一片に当接されていることを特徴とする壁の化粧構造。
【請求項３】
請求項１または２に記載の壁の化粧構造において、
前記突出縁部は、その裏面が先端に向かうに従って外側に傾斜した傾斜面となることによって先端側が厚く形成されており、
前記係合部は断面コ字状に形成されており、前記突出縁部に弾性的に係合するとともに前記一片が前記突出縁部の裏面に当接していることを特徴とする壁の化粧構造。
【請求項４】
請求項１〜３のいずれか一項に記載の壁の化粧構造において、
前記壁の表面には壁紙が貼り付けられ、前記化粧見附枠材は前記壁紙の上から取り付けられていることを特徴とする壁の化粧構造。
【請求項５】
開口部が形成された壁のうち前記開口部側に位置する開口縁部を化粧する壁の化粧方法において、
前記開口縁部における部屋側の表面に、当該部屋側の表面を化粧する化粧見附枠材を取り付ける工程と、
前記化粧見附枠材を取り付けた後に、前記開口縁部における前記開口部側の表面を化粧する工程と、を含んでおり、
前記開口縁部における前記開口部側の表面を化粧するに際し、
前記開口縁部における前記開口部側の表面に予め取り付けられた、前記部屋側に突出する突出縁部を有する板状体の表面に、側縁部に前記突出縁部に係合する係合部を有する薄板状の化粧被覆材を、前記係合部を前記突出縁部に係合させながら被せることを特徴とする壁の化粧方法。
【請求項６】
開口部が形成された壁のうち前記開口部側に位置する開口縁部を化粧する壁の化粧方法において、
前記開口縁部における部屋側の表面に、当該部屋側の表面を化粧する化粧見附枠材を取り付ける工程と、
前記化粧見附枠材を取り付けた後に、前記開口縁部における前記開口部側の表面を化粧する工程と、を含んでおり、
前記開口縁部における前記開口部側の表面を化粧するに際し、
前記開口縁部における前記開口部側の表面に、前記部屋側に突出する突出縁部を有する板状体を取り付け、
その後、前記板状体の表面に、側縁部に前記突出縁部に係合する係合部を有する薄板状の化粧被覆材を、前記係合部を前記突出縁部に係合させながら被せることを特徴とする壁の化粧方法。
【請求項７】
請求項５または６に記載の壁の化粧方法において、
前記化粧見附枠材を、前記開口縁部における部屋側の表面に、前記突出縁部との間に隙間が形成されるようにして取り付けておき、
前記化粧被覆材を前記板状体に被せる際に、前記係合部の一片を前記隙間に入れながら前記係合部を前記突出縁部に係合させることを特徴とする壁の化粧方法。
【発明の詳細な説明】
【技術分野】
【０００１】
本発明は、建物等の壁の化粧構造および化粧方法に関する。
【背景技術】
【０００２】
建物の壁の開口部に設けられた枠材を改装する改装工法の一例として特許文献１に記載のものが知られている。
この改装工法は、改装対象であるドアや引き戸の枠材の露出面及び付設部材の寸法に基づいて前記枠材及び前記付設部材の露出面を被覆可能な断面Ｌ字状若しくはコ字状をした板状の被覆材を形成する予備加工工程と、前記予備加工工程で形成された前記被覆材を前記枠材及び前記付設部材の露出面に取り付ける被覆工程と、を備えたことを特徴としている。
このような改装工法によれば、施工現場のドア枠及び付設部材の露出面の寸法に基づいて形成された被覆材を施工現場に搬入し、改装対象であるドアや引き戸の枠材及び付設部材の露出面に対し、これらの被覆材を取り付けるだけで、既設のドアや引き戸の枠材を改装することができる。従って、熟練技術者に頼ることなく、既設のドアや引き戸の枠材を比較的短時間で容易に改装することができる。
【０００３】
また、壁に形成された開口部に枠材を取り付けてなる枠材の取付構造の一例として特許文献２に記載のものが知られている。
この枠材の取付構造では、壁に形成された開口部に、枠材が下地部として固定され、この下地部に、壁の開口部を化粧する薄板状の化粧枠材が取り付けられている。そして、この化粧枠材は、壁の開口部に固定された枠材（下地材）より突出する突出縁部を有している。
【先行技術文献】
【特許文献】
【０００４】
【特許文献１】特開２０１１−９９２６５号公報
【特許文献２】特開２０１０−１８０６９４号公報
【発明の概要】
【発明が解決しようとする課題】
【０００５】
上記特許文献２に記載されているように、化粧枠材は、下地材としての枠材より突出する突出縁部を有しているので、上記特許文献１に記載されているような被覆材によって、枠材を覆って改装するには前記化粧枠材を取り外す必要があり、手間のかかる作業となる。
また、化粧枠材と枠材とを一体的に形成した場合、枠材にはその側方に突出する、枠材より薄い突出縁部があるため、このような枠材を上記特許文献１に記載されているような被覆材によって覆って改装するのは困難である。
【０００６】
本発明は上記事情に鑑みてなされたもので、開口部が形成された壁のうち開口部側に位置する開口縁部を化粧できる壁の化粧構造および化粧方法を提供することを課題としている。
【課題を解決するための手段】
【０００７】
請求項１に記載の発明は、例えば図１〜図４に示すように、開口部５が形成された壁１のうち前記開口部５側に位置する開口縁部が化粧されてなる壁１の化粧構造において、
前記開口縁部における部屋側の表面に取り付けられ、当該部屋側の表面を化粧する化粧見附枠材２５と、
前記開口縁部における前記開口部５側の表面に取り付けられ、前記部屋側に突出する突出縁部１２，３３を有する板状体（例えば化粧枠材８、基板３０）と、
前記板状体の表面に被せられ、側縁部に前記突出縁部１２，３３に係合する係合部２０ｂ，２１ｂ，３２ｂを有する薄板状の化粧被覆材２０，２１，３２と、を備えており、
前記化粧見附枠材２５と前記突出縁部１２，３３との間には隙間が形成され、前記突出縁部１２，３３に係合された前記係合部２０ｂ，２１ｂ，３２ｂの一片２０ｃ，２１ｃ，３２ｃが前記隙間に設けられていることを特徴とする。
【０００８】
請求項２に記載の発明は、請求項１に記載の壁１の化粧構造において、
前記化粧見附枠材２５は、前記係合部２０ｂ，２１ｂ，３２ｂの前記一片２０ｃ，２１ｃ，３２ｃに当接されていることを特徴とする。
【０００９】
請求項３に記載の発明は、請求項１または２に記載の壁１の化粧構造において、
前記突出縁部１２，３３は、その裏面が先端に向かうに従って外側に傾斜した傾斜面となることによって先端側が厚く形成されており、
前記係合部２０ｂ，２１ｂ，３２ｂは断面コ字状に形成されており、前記突出縁部１２，３３に弾性的に係合するとともに前記一片２０ｃ，２１ｃ，３２ｃが前記突出縁部１２，３３の裏面に当接していることを特徴とする。
【００１０】
請求項４に記載の発明は、請求項１〜３のいずれか一項に記載の壁１の化粧構造において、
前記壁１の表面には壁紙が貼り付けられ、前記化粧見附枠材２５は前記壁紙の上から取り付けられていることを特徴とする。
【００１２】
請求項５に記載の発明は、例えば図１〜図４に示すように、開口部５が形成された壁１のうち前記開口部５側に位置する開口縁部を化粧する壁１の化粧方法において、
前記開口縁部における部屋側の表面に、当該部屋側の表面を化粧する化粧見附枠材２５を取り付ける工程と、
前記化粧見附枠材２５を取り付けた後に、前記開口縁部における前記開口部５側の表面を化粧する工程と、を含んでおり、
前記開口縁部における前記開口部５側の表面を化粧するに際し、
前記開口縁部における前記開口部５側の表面に予め取り付けられた、前記部屋側に突出する突出縁部１２を有する板状体（例えば化粧枠材８）の表面に、側縁部に前記突出縁部１２に係合する係合部２０ｂ，２１ｂを有する薄板状の化粧被覆材２０，２１を、前記係合部２０ｂ，２１ｂを前記突出縁部１２に係合させながら被せることを特徴とする。
【００１３】
請求項６に記載の発明は、例えば図１〜図４に示すように、開口部５が形成された壁１のうち前記開口部５側に位置する開口縁部を化粧する壁１の化粧方法において、
前記開口縁部における部屋側の表面に、当該部屋側の表面を化粧する化粧見附枠材２５を取り付ける工程と、
前記化粧見附枠材２５を取り付けた後に、前記開口縁部における前記開口部５側の表面を化粧する工程と、を含んでおり、
前記開口縁部における前記開口部５側の表面を化粧するに際し、
前記開口縁部における前記開口部５側の表面に、前記部屋側に突出する突出縁部３３を有する板状体（例えば基板３０）を取り付け、
その後、前記板状体の表面に、側縁部に前記突出縁部３３に係合する係合部３２ｂを有する薄板状の化粧被覆材３２を、前記係合部３２ｂを前記突出縁部３３に係合させながら被せることを特徴とする。
【００１４】
請求項７に記載の発明は、請求項５または６に記載の壁１の化粧方法において、
前記化粧見附枠材２５を、前記開口縁部における部屋側の表面に、前記突出縁部３３との間に隙間が形成されるようにして取り付けておき、
前記化粧被覆材３２を前記板状体に被せる際に、前記係合部３２ｂの一片３２ｃを前記隙間に入れながら前記係合部３２ｂを前記突出縁部３３に係合させることを特徴とする。
【発明の効果】
【００１５】
本発明によれば、開口部が形成された壁のうち開口部側に位置する開口縁部を化粧できる。
【図面の簡単な説明】
【００１６】
【図１】壁の化粧構造の第１の実施の形態を示すもので、当該壁の化粧構造の要部を示す平断面図である。
【図２】同、図１におけるＸ円部の拡大図である。
【図３】同、壁の化粧構造の施工方法を説明するための工程図である。
【図４】壁の化粧構造の第２の実施の形態を示すもので、当該壁の化粧構造の要部を示す平断面図である。
【発明を実施するための形態】
【００１７】
以下、図面を参照して本発明に係る壁の化粧構造の実施の形態について説明する。
（第１の実施の形態）
図１は、第１の実施の形態の壁の化粧構造の要部を示す平断面図である。図１において符号１は壁を示す。この壁１は建物内に設けられて部屋どうしを仕切る壁や、部屋と廊下の境界に設けられた壁である。
この壁１は、複数の木質の壁パネル２とこれら壁パネル２の両面に取り付けられた石膏ボード３とから構成されている。壁パネル２は框材２ａを矩形枠状に組み立ててなる枠内に、必要に応じて補強桟材を組み込み、さらに、枠体の両面に合板等からなる面材２ｂを取り付けてなるものである。
【００１８】
前記壁１には開口部５が設けられている。すなわち、例えば壁パネル２を正面視門形に組み立てることによって、左右両側の壁パネル２，２間に開口部５が設けられている。なお、図１は、右側の壁パネル２の縁部を示す平断面図である。
壁１の開口部５の縁部には枠材６が設けられている。枠材６は壁パネル２の側端面に固定された枠材本体７とこの枠材本体７の表面（開口部５側を向く表面）に設けられた化粧枠材８とで構成されている。
枠材本体７は合板等で形成されたものであり、前記壁パネル２の框材２ａに固定されている。また、枠材本体７の側端面には前記石膏ボード３の縁部裏面が当接されている。枠材本体７の表面は、石膏ボード３の端面より開口部５側に突出しており、当該枠材本体７の表面の縁部には切欠部が形成され、この切欠部の側面と石膏ボード３の先端部裏面とによって凹溝９が形成されている。
また、枠材本体７の表面中央部には、凹溝１０が化粧枠材８の長手方向（図１において紙面と直交する方向）に延在して形成されている。
【００１９】
前記化粧枠材８は、樹脂または木粉を含んだ樹脂の押出しによって、略帯板状に形成され、その表面には適宜の木目模様等が施されている。この化粧枠材８の表面の幅方向中央部には、裏面側に突出ようにして凹溝１１ａが化粧枠材８の長手方向に延在して形成されている。この凹溝１１ａを形成する、裏面側に突出する突条１１は前記枠材本体７の凹溝１０に嵌合されている。
化粧枠材８の幅方向の両側縁部には、前記石膏ボード３の端面に当接する当接部１２がそれぞれ形成されており、各当接部１２の下面に小突条１２ａが形成されている。この小突条１２ａが前記凹溝９に嵌合している。さらに、小突条１２ａと前記突条１１との間は平板となっており、この平板が枠材本体７の表面に密接した状態で被されている。化粧枠材８は、その突条１１が枠材本体７の凹溝１０に嵌合し、小突条１２ａが凹溝９に嵌合することによって、枠材本体７に取り付けられている。なお、このような嵌合に併せて枠材本体７と化粧枠材８とが互いに当接する面を接着剤によって接着してもよい。
前記当接部１２は、枠材（枠材本体７と化粧枠材８とから構成されている）６の側方に突出し、かつ枠材６より薄い突出縁部１２となっている。すなわち、枠材６は、その側方に突出し、かつ枠材６より薄い突出縁部１２を有している。
そして、この突出縁部１２は、枠材本体７の表面に改装前に設けられ、かつ、枠材本体７よりその幅方向に突出する板状の既存の化粧枠材８の側縁部で構成されている。
【００２０】
また、前記化粧枠材８には、戸当り１５が設けられている。この戸当り１５は、樹脂または木粉を含んだ樹脂の押出しによって筒状に形成されており、その下面には突条１５ａが戸当り１５の長手方向（図１において紙面と直交する方向）に延在して形成されている。
この突条１５ａはその厚さ方向（図１において左右方向）に弾性的に圧縮変形可能であり、この突条１５ａを化粧枠材８の凹溝１１ａに圧縮した状態で挿入し、それが弾性復帰することによって、突条１５ａが凹溝１１ａに取り付けられている。これによって、戸当り１５は化粧枠材８に取り付けられている。戸当り１５には、モヘヤ１６が取り付けられており、このモヘヤ１６は、閉じた状態の戸１７に接触するようになっている。
【００２１】
以上までが改装前の枠材６等の構成である。
そして、本実施の形態では、表面に木目模様等が施された化粧被覆材２０，２１および戸当り用化粧被覆材２２によって、戸当り１５を含む枠材６が覆われて改装されている。
化粧被覆材２０は、樹脂または木粉を含んだ樹脂の押出しによって形成されたものであり、平板状の被覆材本体２０ａと、この被覆材本体２０ａの一方の縁部に形成された係合部２０ｂとによって構成されている。
係合部２０ｂは断面コ字状に形成されており、そのコ字形の内側の凹溝の幅は前記化粧枠材８の突出縁部１２の厚さとほぼ等しいか若干狭くなっている。突出縁部１２は、図２に示すように、その裏面が突出縁部１２の先端に向かうに従って外側に傾斜した傾斜面となっており、これによって突出縁部１２は、先端側の方が厚くなっている。
【００２２】
そして、化粧被覆材２０は、その被覆材本体２０ａを化粧枠材８の凹溝１１ａを境とした当該化粧枠材８の幅方向の一方の表面に被せるとともに、係合部２０ｂを突出縁部１２の端部を包むようにして当該端部に弾性的に係合させることによって、化粧枠材８の幅方向の一方の表面を覆っている。なお、断面コ字状の係合部２０ｂの一片２０ｃは突出縁部１２の端部に係合する前の状態において、若干内側に曲がっており、係合部２０ｂを係合させる際に一片２０ｃが弾性的に外側に開き、係合した状態で一片２０ｃが弾性復帰して突出縁部１２の傾斜した下面に圧接する。これによって、化粧被覆材２０は化粧枠材８の幅方向の一方の表面を覆った状態で固定されている。
【００２３】
化粧被覆材２１は、化粧被覆材２０と同様に樹脂または木粉を含んだ樹脂の押出しによって形成されたものであり、平板状の被覆材本体２１ａと、この被覆材本体２１ａの一方の縁部に形成された係合部２１ｂとによって構成されている。
係合部２１ｂは前記係合部２０ｂと同様に断面コ字状に形成されており、そのコ字形の内側の凹溝の幅は前記化粧枠材８の突出縁部１２の厚さとほぼ等しくなっている。
また、被覆材本体２１ａは、被覆材本体２０ａより幅狭に形成されている。
【００２４】
そして、化粧被覆材２１は、その被覆材本体２１ａを化粧枠材８の凹溝１１ａを境とした当該化粧枠材８の幅方向の他方の表面に被せるとともに、係合部２１ｂを突出縁部１２の端部を包むようにして当該端部に弾性的に係合させることによって、化粧枠材８の幅方向の他方の表面を覆っている。なお、断面コ字状の係合部２１ｂの一片２１ｃは突出縁部１２の端部に係合する前の状態において、若干内側に曲がっており、係合部２１ｂを係合させる際に一片２１ｃが弾性的に外側に開き、係合した状態で一片２１ｃが弾性復帰して突出縁部１２の傾斜した下面に圧接する。これによって、化粧被覆材２１は化粧枠材８の幅方向の他方の表面を覆った状態で固定されている。
【００２５】
戸当り用化粧被覆材２２は、樹脂または木粉を含んだ樹脂の押出しによって断面略Ｌ形に形成されたものであり、その長い方の一片２２ａと短い方の他片２２ｂとによって、戸当り１５の断面Ｌ形の表面が覆われている。
また、前記一片２２ａの先端部には係止部２２ｃが折り曲げられて形成されている。この係止部２２ｃは戸当り１５のモヘヤ１６が設けられている側の面に弾性的に係合している。つまり、係止部２２ｃはモヘヤ１６が設けられている側の面に係合する前の状態において、若干内側に曲がっており、係止部２２ｃを係合させる際に当該係止部２２ｃが弾性的に外側に開き、係合した状態で係止部２２ｃが弾性復帰してモヘヤ１６が設けられている側の面に圧接する。これによって、係止部２２ｃと前記他片２２ｂとで戸当り１５を弾性的に挟みつけて、戸当り用化粧被覆材２２が戸当り１５にその表面を覆った状態で固定されている。
【００２６】
また、壁１の開口縁部の表面には化粧見附枠材２５が取り付けられている。この化粧見附枠材２５は、下地材２６とこの下地材２６に取り付けられる見附枠材本体２７とによって構成されている。
下地材２６は樹脂の押出しによって形成されたものであり、その内面には被係合部２６ａが形成されている。この被係合部２６ａは二つの被係合突起片で構成されており、これら被係合突起片は互いに弾性的に接離可能となっている。
見附枠材本体２７は樹脂または木粉を含んだ樹脂の押出しによって形成されたものであり、その内面には係合部２７ａが形成されている。この係合部２７ａは二つの係合突起片で構成されており、これら係合突起片は互いに弾性的に接離可能となっている。
【００２７】
そして、前記下地材２６はビスや接着剤等によって石膏ボード３に固定されている。また、見附枠材本体２７はその係合部２７ａを下地材２６の被係合部２６ａに弾性的に係合することによって、当該下地材２６に取り付けられている。係合部２７ａを被係合部２６ａに係合する場合、被係合部２６ａの被係合突起に、係合部２７ａの係合突起を外側から被せるようにして係合させることにより行うが、これは、下地材２６に見附枠材本体２７を合わせて取り付ける際に、被係合部２６ａの被係合突起に係合部２７ａの係合突起を合わせたうえで、見附枠材本体２７を下地材２６に対して押し付けることによって行う。
このようにして石膏ボード３に取り付けられた化粧見附枠材２５，２５の一方の縁部は前記化粧被覆材２０，２１の一片２０ｃ，２１ｃにそれぞれ当接されている。なお、図１において符号２８で示すものは巾木であり、この巾木２８は壁１の下端部において、前記化粧見附枠材２５の他方の縁部に当接されている。
【００２８】
次に、改装前の枠材６に、化粧被覆材２０，２１および戸当り用化粧被覆材２２を取り付けて枠材を改装する方法について図３を参照して説明する。
まず、図３（ａ）に示すように、壁１の石膏ボード３に下地材２６を固定した後、この下地材２６に見附枠材本体２７を押し付けて、被係合部２６ａに係合部２７ａを係合することによって、下地材２６に見附枠材本体２７を取り付ける。
【００２９】
次に、図３（ｂ）に示すように、化粧枠材８に化粧被覆材２０，２１を取り付ける。この場合、化粧被覆材２０を、化粧枠材８の幅方向の一方の表面に外側からスライドさせるようにして当該表面に被せるとともに、係合部２０ｂを突出縁部１２の端部を包むようにして当該端部に弾性的に係合させることによって、化粧被覆材２０によって化粧枠材８の幅方向の一方の表面を覆う。この状態において、化粧被覆材２０の端部は戸当り１５に当接している（図３（ｃ）参照）。
また、化粧被覆材２１を、化粧枠材８の幅方向の他方の表面に外側からスライドさせるようにして当該表面に被せるとともに、係合部２１ｂを突出縁部１２の端部を包むようにして当該端部に弾性的に係合させることによって、化粧被覆材２１によって化粧枠材８の幅方向の他方の表面を覆う。この状態において、化粧被覆材２１の端部は戸当り１５に当接している（図３（ｃ）参照）。
【００３０】
次に、図３（ｃ）に示すように、戸当り１５に戸当り用化粧被覆材２２を取り付ける。この場合、戸当り用化粧被覆材２２を、戸当り１５に被せるようにして取り付ける。この状態において、戸当り用化粧被覆材２２の他片２２ｂの端部は化粧被覆材２１の表面に当接しており、係止部２２ｃは戸当り１５のモヘヤ１６が設けられている側の面に弾性的に係合している。
以上のようにして、改装前の枠材６に、化粧被覆材２０，２１および戸当り用化粧被覆材２２を取り付けて枠材６を改装する。
【００３１】
本実施の形態によれば、枠材６は、その側方に突出し、かつ枠材６より薄い突出縁部１２，１２を有し、枠材６の化粧枠材８の表面に、薄板状でかつ側縁部に係合部２０ｂ，２１ｂが設けられた化粧被覆材２０，２１が被せられ、化粧被覆材２０，２１の係合部２０ｂ，２１ｂが突出縁部１２，１２に係合しているので、枠材６を残したまま、化粧被覆材２０，２１によって枠材６を改装できる。
また、枠材６の化粧枠材８の表面に戸当り１５が設けられており、この戸当りの表面に戸当り用化粧被覆材２２が被せられているので、戸当り用化粧被覆材２２と前記化粧被覆材２０，２１によって、戸当り１５を含む枠材６の表面全体を被覆して容易に改装できる。
【００３２】
また、突出縁部１２は、枠材本体７の表面に改装前に設けられ、かつ、枠材本体７よりその幅方向に突出する板状の既存の化粧枠材８の側縁部で構成されているので、枠材本体７の表面に既存の化粧枠材８が設けられている場合においても、化粧枠材８の表面を化粧被覆材２０，２１によって覆って容易に改装できる。
さらに、化粧被覆材２０，２１の係合部２０ｂ，２１ｂは断面コ字状に形成され、このコ字形の係合部２０ｂ，２１ｂが突出縁部１２，１２に弾性的に係合しているので、化粧被覆材２０，２１を枠材６の化粧枠材８の表面に被せた状態で保持できる。また、係合部２０ｂ，２１ｂを突出縁部１２，１２から取り外すことによって、化粧被覆材２０，２１を容易に取り換えることができる。
【００３３】
（第２の実施の形態）
図４は第２の実施の形態の壁の化粧構造の要部を示す平断面図である。
第２の実施の形態では、改装前において、壁１に第１の実施の形態に示したような化粧枠材８が設けられておらず、壁１の開口縁部に既存の枠材３０が設けられている。壁１自体の構成は、第１の実施の形態の壁１と同様であり、また、化粧見附枠材２５も第１の実施の形態と同様のものであるので、壁１や化粧見附枠材２５における同一構成部材には同一符号を付してその説明を省略する。
前記枠材３０は合板等で形成されたものであり、壁パネル２の框材２ａに固定されている。また、枠材３０の側端面には石膏ボード３の縁部裏面が当接されている。さらに、枠材３０の表面は石膏ボード３の端面と面一になっている。
そして、このような開口部５を構成する壁１の開口部縁部には、図示しない、壁紙が枠材３０の表面、石膏ボード３の端面、石膏ボード３の表面に亙って貼り付けられている。
【００３４】
そして、本実施の形態では、基板３１および表面に木目模様等が施された化粧被覆材３２，３２によって枠材３０が覆われて改装されている。
基板３１は長方形板状のものであり、その幅方向の側縁部は石膏ボード３の表面より外側に突出している。また、基板３１の突出している側縁部は本発明でいう突出縁部３３を構成している。この突出縁部３３は、その裏面が突出縁部３３の先端に向かうに従って外側に傾斜した傾斜面となっており、これによって突出縁部３３は、先端側の方が厚くなっている。
このような基板３１は、枠材３０の表面に改装時に取り付けられる。基板３１を枠材３０に取り付けるには、例えば、接着剤やビスによって行う。
【００３５】
化粧被覆材３２は、樹脂または木粉を含んだ樹脂の押出しによって形成されたものであり、平板状の被覆材本体３２ａと、この被覆材本体３２ａの一方の縁部に形成された係合部３２ｂとによって構成されている。
係合部３２ｂは断面コ字状に形成されており、そのコ字形の内側の凹溝の幅は前記基板３１の突出縁部３３の厚さとほぼ等しいか若干狭くなっている。
【００３６】
そして、一方の化粧被覆材３２は、その被覆材本体３２ａを基板３１の幅方向中央部を境とした当該基板３１の幅方向の一方の表面に被せるとともに、係合部３２ｂを突出縁部３３の端部を包むようにして当該端部に弾性的に係合させることによって、基板３１の幅方向の一方の表面を覆っている。なお、断面コ字状の係合部３２ｂの一片３２ｃは突出縁部３３の端部に係合する前の状態において、若干内側に曲がっており、係合部３２ｂを係合させる際に一片３２ｃが弾性的に外側に開き、係合した状態で一片３２ｃが弾性復帰して突出縁部３３の傾斜した下面に圧接する。これによって、化粧被覆材３２は基板３１の幅方向の一方の表面を覆った状態で固定されている。
また、他方の化粧被覆材３２は、一方の化粧被覆材３２と同様にして、基板３１の幅方向の他方の表面を覆っている。
【００３７】
改装前の枠材３０に、基板３１および化粧被覆材３２を取り付ける場合、まず、壁１の石膏ボード３に下地材２６を固定した後、この下地材２６に見附枠材本体２７を押し付けて、被係合部２６ａに係合部２７ａを係合することによって、下地材２６に見附枠材本体２７を取り付ける。これによって、開口部回りの石膏ボード３の表面に化粧見附枠材２５を取り付ける。
【００３８】
次に、枠材３０の表面に基板３１をビス止めや接着剤によって取り付けた後、この基板３１に化粧被覆材３２，３２を取り付ける。この場合、一方の化粧被覆材３２を、基板３１の幅方向の一方の表面に外側からスライドさせるようにして当該表面に被せるとともに、係合部３２ｂを突出縁部３３を包むようにして当該突出縁部３３に弾性的に係合させることによって、基板３１の幅方向の一方の表面を覆う。同様にして、他方の化粧被覆材３２によって、基板３１の幅方向の他方の表面を覆う。なお、化粧被覆材３２，３２の端部どうしは互い突き当てる。
以上のようにして、改装前の枠材３０に、基板３１および化粧被覆材３２を取り付けて枠材３０を改装する。
【００３９】
本実施の形態によれば、突出縁部３３は、枠材３０の表面に改装時に設けられ、かつ、枠材３０からその幅方向に突出する板状の基板３１の側縁部で構成されているので、既存の枠材３０に突出縁部がない場合でも、改装時に板状の基板３１の側縁部によって突出縁部３３を構成することによって、枠材３０の表面を化粧被覆材３２によって容易に改装できる。
なお、本実施の形態では、枠材３０の表面に基板３１を取り付けた後、この基板３１に化粧被覆材３２，３２を取り付けたが、これに代えて、予め基板３１の表面に化粧被覆材３２，３２を取り付けておき、化粧被覆材付きの基板３１を枠材３０の表面に取り付けてもよい。
【符号の説明】
【００４０】
１  壁
５  開口部
６，３０  枠材
７  枠材本体
８  化粧枠材
１２，３３  突出縁部
１５  戸当り
２０，２１，３２  化粧被覆材
２０ｂ，２１ｂ，３２ｂ  係合部
２２  戸当り用化粧被覆材
３１  基板
【図１】
0006046773.tif 000002
【図２】
0006046773.tif 000003
【図３】
0006046773.tif 000004
【図４】
0006046773.tif 000005